(57)【要約】
【課題】  還元塩をユニットバスのような浴槽で用いても、浴槽本体に加え、金属製の各配管部材や給湯器の内部等が還元塩の塩分によって腐食されてしまうことを防止できるようにする。
【解決手段】  外周縁部が防水テープによって密閉されるビニールシートによって浴槽の内側及び外側を覆い、その浴槽内に還元塩を混ぜた水を張り、ヒーターカバー３０によって覆われたヒーター本体２４を水中に浸け、商用コンセントに接続される漏電ブレーカー１０からの電力を水中ヒーター２０に供給することで、浴槽内の還元塩を混ぜた水を暖めるようにする。
【選択図】  図１
0003101004.tif 000002
【実用新案登録請求の範囲】
【請求項１】
商用コンセントに接続される漏電ブレーカーと、
水中に浸けられるヒーター本体を有する水中ヒーターと、
前記ヒーター本体全体を覆うように装着されるヒーターカバーとを備え、
外周縁部が防水テープによって密閉されるビニールシートによって浴槽の内側及び外側を覆い、その浴槽内に還元塩を混ぜた水を張り、前記ヒーターカバーによって覆われた前記ヒーター本体を水中に浸け、前記漏電ブレーカーからの電力を前記水中ヒーターに供給することで、浴槽内の還元塩が混ぜられている水が暖められる
ことを特徴とする浴槽用水中ヒーターシステム。
【請求項２】
前記漏電ブレーカーには、先端に第１のプラグが装着されたコードが接続され、
前記ヒーター本体には、先端に前記第１のプラグに接続される第２のプラグが装着されたコードが接続されている
ことを特徴とする請求項１に記載の浴槽用水中ヒーターシステム。
【請求項３】
前記漏電ブレーカーには、
動作確認を行う際に操作されるテストボタンと、
所定の定格感度電流での漏電感知をセットする際に操作されるセットボタンとが設けられている
ことを特徴とする請求項１又は２に記載の浴槽用水中ヒーターシステム。
【請求項４】
前記漏電ブレーカーと水中ヒーターとの間には、切替えスイッチを有する延長コンセントが設けられ、
前記切替えスイッチにより前記水中ヒーターへの電力の供給がオン／オフされる
ことを特徴とする請求項１〜３のいずれかに記載の浴槽用水中ヒーターシステム。
【請求項５】
前記延長コンセントには、
前記第２のプラグに接続されるコンセント本体と、
前記コンセント本体から延び、先端に前記第１のプラグに接続される第３のプラグが装着されたコードとが設けられている
ことを特徴とする請求項４に記載の浴槽用水中ヒーターシステム。
【請求項６】
前記延長コンセントには、複数の前記水中ヒーターの第２のプラグが接続される複数の差込口が設けられていることを特徴とする請求項４又は５に記載の浴槽用水中ヒーターシステム。
【請求項７】
前記漏電ブレーカーと水中ヒーターとの間には、前記水中ヒーターによって暖められた水温を検出して前記水中ヒーターへの電力供給を断続するサーモ・コントローラが設けられ、
前記サーモ・コントローラは、検出した温度が所定の温度に到達すると、前記水中ヒーターへの電力供給を遮断し、検出した温度が所定の温度を下回ると、前記水中ヒーターへの電力供給を続行させる
ことを特徴とする請求項１〜３のいずれかに記載の浴槽用水中ヒーターシステム。
【請求項８】
前記漏電ブレーカーと延長コンセントとの間には、前記水中ヒーターによって暖められた水温を検出して前記水中ヒーターへの電力供給を断続するサーモ・コントローラが設けられ、
前記サーモ・コントローラは、検出した温度が所定の温度に到達すると、前記水中ヒーターへの電力供給を遮断し、検出した温度が所定の温度を下回ると、前記水中ヒーターへの電力供給を続行させる
ことを特徴とする請求項４〜６のいずれかに記載の浴槽用水中ヒーターシステム。
【請求項９】
前記延長コンセントと水中ヒーターとの間には、前記水中ヒーターによって暖められた水温を検出して前記水中ヒーターへの電力供給を断続するサーモ・コントローラが設けられ、
前記サーモ・コントローラは、検出した温度が所定の温度に到達すると、前記水中ヒーターへの電力供給を遮断し、検出した温度が所定の温度を下回ると、前記水中ヒーターへの電力供給を続行させる
ことを特徴とする請求項４〜６のいずれかに記載の浴槽用水中ヒーターシステム。
【請求項１０】
前記サーモ・コントローラは、
温度設定ダイヤルを有するコントローラ本体を有し、
前記温度設定ダイヤルによって前記水中ヒーターへの電力供給を断続させる温度の設定が行われる
ことを特徴とする請求項７〜９のいずれかに記載の浴槽用水中ヒーターシステム。
【請求項１１】
前記コントローラ本体には、内部の電源回路のオン／オフと前記水中ヒーターへの電力供給のオン／オフとを行う際に切り替えられるオン／オフスイッチが設けられていることを特徴とする請求項１０に記載の浴槽用水中ヒーターシステム。
【請求項１２】
前記コントローラ本体には、
前記オン／オフスイッチがオン側に切り替えられたときに点灯する第１のランプと、
温度センサからの検出温度が前記温度設定ダイヤルによって設定された温度に到達すると点灯する第２のランプとが設けられている
ことを特徴とする請求項１１に記載の浴槽用水中ヒーターシステム。
【請求項１３】
前記コントローラ本体には、
先端に前記第１のプラグに接続される第４のプラグが装着されたコードと、
先端に前記第２のプラグに接続される第５のプラグが装着されたコードと、
先端に水温を検出する温度センサが接続されたコードとが設けられている
ことを特徴とする請求項１０〜１２のいずれかに記載の浴槽用水中ヒーターシステム。
【請求項１４】
前記ヒーター本体は、耐候性、耐塩性及び耐熱性を有していることを特徴とする請求項１に記載の浴槽用水中ヒーターシステム。
【請求項１５】
前記ヒーターカバーは、ゴム製又は耐熱樹脂製であることを特徴とする請求項１に記載の浴槽用水中ヒーターシステム。
【請求項１６】
前記ヒーター本体と前記第２のプラグが装着されたコードとの接続部位には、第１の温度で動作するバイメタルサーモと、前記第１の温度より高い第２の温度で動作する温度ヒューズとが内装されたゴムキャップが嵌合されていることを特徴とする請求項２に記載の浴槽用水中ヒーターシステム。
【請求項１７】
前記第２のプラグには、アース線が設けられていることを特徴とする請求項２に記載の浴槽用水中ヒーターシステム。
【請求項１８】
前記第４のプラグには、アース線が設けられていることを特徴とする請求項１３に記載の浴槽用水中ヒーターシステム。
【請求項１９】
前記ヒーター本体とゴムキャップとの嵌合部分にはシリコン接着剤が塗布されていることを特徴とする請求項１６に記載の浴槽用水中ヒーターシステム。
【請求項２０】
前記ゴムキャップ及び前記第２のプラグが装着されたコードは、耐候性・耐塩性を有していることを特徴とする請求項１６に記載の浴槽用水中ヒーターシステム。
【考案の詳細な説明】
【技術分野】
【０００１】
本考案は、たとえば活性酸素による生活習慣病の予防のために用いられる還元塩を浴槽で使用する場合に適した浴槽用水中ヒーターシステムに関するものである。
【背景技術】
【０００２】
たとえば活性酸素は、体外の異物等が体内に新入してきた際、それから身体を守ることができるといった有益な物質であるが、環境汚染、紫外線、食品添加物、過労、ストレス等により、体内で必要以上に作り出されると、年と共に徐々に細胞が酸化され、その結果、老化、病気、美容障害等の生活習慣病を招く要因となる物質でもある。
【０００３】
そこで、近年では、たとえば還元塩による還元力によって、活性酸素を無害なものにし、老化、病気、美容障害等の生活習慣病を予防することが話題になっている。還元塩の利用の一つとして、入浴に用いる方法がある。これは、４０度くらいのお風呂に身体を入れてから所定量の還元塩を浴槽内に入れ、溶液が全身にゆきわたるようにかき混ぜて浸かる方法である。
【０００４】
ところで、一般家庭等での浴槽は、特許文献１に示されているように、浴槽本体と給湯器との間で給湯が循環できるように、給湯用の金属製の各配管部材が浴槽本体に接続されるユニットバスとなっている。そのため、上述した還元塩をこのような浴槽で用いようとすると、浴槽本体に加え、金属製の各配管部材や給湯器の内部等が還元塩の塩分によって腐食されてしまう。
【特許文献１】特開２０００−１４６０５９
【考案の開示】
【考案が解決しようとする課題】
【０００５】
解決しようとする問題点は、還元塩をユニットバスのような浴槽で用いようとすると、浴槽本体に加え、金属製の各配管部材や給湯器の内部等が還元塩の塩分によって腐食されてしまう点である。
【課題を解決するための手段】
【０００６】
本考案の浴槽用水中ヒーターシステムは、商用コンセントに接続される漏電ブレーカーと、水中に浸けられるヒーター本体を有する水中ヒーターと、ヒーター本体全体を覆うように装着されるヒーターカバーとを備え、外周縁部が防水テープによって密閉されるビニールシートによって浴槽の内側及び外側を覆い、その浴槽内に還元塩を混ぜた水を張り、ヒーターカバーによって覆われたヒーター本体を水中に浸け、漏電ブレーカーからの電力を水中ヒーターに供給することで、浴槽内の還元塩が混ぜられている水が暖められることを特徴とする。
また、漏電ブレーカーには、先端に第１のプラグが装着されたコードが接続され、ヒーター本体には、先端に第１のプラグに接続される第２のプラグが装着されたコードが接続されているようにすることができる。
また、漏電ブレーカーには、動作確認を行う際に操作されるテストボタンと、所定の定格感度電流での漏電感知をセットする際に操作されるセットボタンとが設けられているようにすることができる。
また、漏電ブレーカーと水中ヒーターとの間には、切替えスイッチを有する延長コンセントが設けられ、切替えスイッチにより水中ヒーターへの電力の供給がオン／オフされるようにすることができる。
また、延長コンセントには、第２のプラグに接続されるコンセント本体と、コンセント本体から延び、先端に第１のプラグに接続される第３のプラグが装着されたコードとが設けられているようにすることができる。
また、延長コンセントには、複数の水中ヒーターの第２のプラグが接続される複数の差込口が設けられているようにすることができる。
また、漏電ブレーカーと水中ヒーターとの間には、水中ヒーターによって暖められた水温を検出して水中ヒーターへの電力供給を断続するサーモ・コントローラが設けられ、サーモ・コントローラは、検出した温度が所定の温度に到達すると、水中ヒーターへの電力供給を遮断し、検出した温度が所定の温度を下回ると、水中ヒーターへの電力供給を続行させるようにすることができる。
また、漏電ブレーカーと延長コンセントとの間には、水中ヒーターによって暖められた水温を検出して水中ヒーターへの電力供給を断続するサーモ・コントローラが設けられ、サーモ・コントローラは、検出した温度が所定の温度に到達すると、水中ヒーターへの電力供給を遮断し、検出した温度が所定の温度を下回ると、水中ヒーターへの電力供給を続行させるようにすることができる。
また、延長コンセントと水中ヒーターとの間には、水中ヒーターによって暖められた水温を検出して水中ヒーターへの電力供給を断続するサーモ・コントローラが設けられ、サーモ・コントローラは、検出した温度が所定の温度に到達すると、水中ヒーターへの電力供給を遮断し、検出した温度が所定の温度を下回ると、水中ヒーターへの電力供給を続行させるようにすることができる。
また、サーモ・コントローラは、温度設定ダイヤルを有するコントローラ本体を有し、温度設定ダイヤルによって水中ヒーターへの電力供給を断続させる温度の設定が行われるようにすることができる。
また、コントローラ本体には、内部の電源回路のオン／オフと水中ヒーターへの電力供給のオン／オフとを行う際に切り替えられるオン／オフスイッチが設けられているようにすることができる。
また、コントローラ本体には、オン／オフスイッチがオン側に切り替えられたときに点灯する第１のランプと、温度センサからの検出温度が温度設定ダイヤルによって設定された温度に到達すると点灯する第２のランプとが設けられているようにすることができる。
また、コントローラ本体には、先端に第１のプラグに接続される第４のプラグが装着されたコードと、先端に第２のプラグに接続される第５のプラグが装着されたコードと、先端に水温を検出する温度センサが接続されたコードとが設けられているようにすることができる。
また、ヒーター本体は、耐候性、耐塩性及び耐熱性を有しているようにすることができる。
また、ヒーターカバーは、ゴム製又は耐熱樹脂製であるようにすることができる。
また、ヒーター本体と第２のプラグが装着されたコードとの接続部位には、第１の温度で動作するバイメタルサーモと、第１の温度より高い第２の温度で動作する温度ヒューズとが内装されたゴムキャップが嵌合されているようにすることができる。
また、第２のプラグには、アース線が設けられているようにすることができる。
また、第４のプラグには、アース線が設けられているようにすることができる。
また、ヒーター本体とゴムキャップとの嵌合部分にはシリコン接着剤が塗布されているようにすることができる。
また、ゴムキャップ及び第２のプラグが装着されたコードは、耐候性・耐塩性を有しているようにすることができる。
本考案の浴槽用水中ヒーターシステムは、外周縁部が防水テープによって密閉されるビニールシートによって浴槽の内側及び外側を覆い、その浴槽内に還元塩を混ぜた水を張り、ヒーターカバーによって覆われたヒーター本体を水中に浸け、商用コンセントに接続される漏電ブレーカーからの電力を水中ヒーターに供給することで、浴槽内の還元塩が混ぜられている水を暖めることができる。
【考案の効果】
【０００７】
本考案の浴槽用水中ヒーターシステムは、外周縁部が防水テープによって密閉されるビニールシートによって浴槽の内側及び外側を覆い、その浴槽内に還元塩を混ぜた水を張り、ヒーターカバーによって覆われたヒーター本体を水中に浸け、商用コンセントに接続される漏電ブレーカーからの電力を水中ヒーターに供給することで、浴槽内の還元塩を混ぜた水を浴槽内でのみ暖めることができることから、還元塩をユニットバスのような浴槽で用いても、浴槽本体に加え、金属製の各配管部材や給湯器の内部等が還元塩の塩分によって腐食されてしまうことを防止できる。
【考案を実施するための最良の形態】
【０００８】
浴槽の内側及び外側をビニールシートで覆い、浴槽内の還元塩を混ぜた水を、その浴槽内のみで暖めるようにした。
（実施例）
【０００９】
図１は、本考案の浴槽用水中ヒーターシステムの一実施の形態を示す図、図２は、図１の漏電ブレーカーを示す図、図３は、図１の水中ヒーターにゴム製のヒーターカバーを装着する場合を説明するための図、図４は、図１の浴槽用水中ヒーターシステムの使用方法を説明するための図、図５は、図１の浴槽用水中ヒーターシステムの構成を変えた場合の他の実施形態を説明するための図、図６は、図５の浴槽用水中ヒーターシステムの構成を変えた場合の他の実施形態を説明するための図、図７は、図１の浴槽用水中ヒーターシステムの構成を変えた場合の他の実施形態を説明するための図、図８は、図７のサーモ・コントローラを説明するための図である。
【００１０】
図１に示す浴槽用水中ヒーターシステムは、漏電ブレーカー１０、水中ヒーター２０、ヒーターカバー３０とを備えている。漏電ブレーカー１０は、図示しない商用コンセントに接続されるものであって、商用電源からの電力を水中ヒーター２０に与えるものである。漏電ブレーカー１０には、先端に第１のプラグとしての雌型プラグ１１が装着されたコード１２が接続されている。漏電ブレーカー１０の仕様としては、たとえば１２Ａ、１００Ｖ、定格感度電流１５ｍＡのものを用いることができる。なお、これら１２Ａ、１００Ｖ、定格感度電流１５ｍＡは、あくまでも一例であり、適宜、それぞれの値が異なるものを使用してもよい。
【００１１】
また、漏電ブレーカー１０には、図２に示すように、テストボタン１３とセットボタン１４とが設けられている。テストボタン１３は動作確認を行う際に操作されるものであり、セットボタン１４は定格感度電流１５ｍＡでの漏電感知をセットする際に操作されるものである。
【００１２】
水中ヒーター２０は、一端にゴムキャップ２１を介し、先端にアース線２２ａ付きの第２のプラグとしての雄型プラグ２２が装着されたコード２３が接続されるヒーター本体２４を有している。また、ゴムキャップ２１の内部には、たとえば７０℃〜８０℃で動作するバイメタルサーモ（図示省略）と、たとえば９８℃で動作する温度ヒューズ（図示省略）が内装されている。これは、漏電ブレーカー１０による電力供給遮断が行われないときの安全策である。
【００１３】
ここで、ゴムキャップ２１やコード２３は、耐候性、耐塩性に優れたものが好ましく、たとえばシリコンゴム等を用いることができる。また、ヒーター本体２４にあっては、耐候性、耐塩性、耐熱性に優れたものが好ましく、たとえばチタン、耐熱ガラス、耐熱樹脂等を用いることができる。また、ヒーター本体２４内部の機密性を保持するために、ヒーター本体２４とゴムキャップ２１との嵌合部分にはシリコン接着剤を塗布してもよい。
【００１４】
ヒーターカバー３０は、ヒーター本体２４を覆うことで、ヒーター本体２４に誤って手等が触れないようにしたり、ヒーター本体２４が後述のビニールシート４１に直接触れないようにするものであり、たとえばゴム製又は耐熱樹脂製よりなるものである。ヒーターカバー３０は、図３に示すように、軸方向に沿って２分割されたカバー体３１，３２を備えている。カバー体３１の内側には、ヒーター本体２４を保持する保持部３３と、ゴムキャップ２１を保持する保持部３４と、コード２３を保持する保持部３５とが設けられている。また、カバー体３１の外周縁部には、カバー体３２側の図示しない係止突起が係止される複数の係止孔３６が設けられている。
【００１５】
カバー体３２の内側には、上述した図示しない係止突起が係止孔３６に対応させて複数設けられている。また、カバー体３２には、複数のスリット３７が設けられている。これらのスリット３７を介し、ヒーター本体２４によって暖められた水がカバー体３２から外部に移動する。そして、ヒーター本体２４にヒーターカバー３０を装着する場合には、カバー体３１の保持部３３〜３５にヒーター本体２４、ゴムキャップ２１、コード２３を保持させた後、カバー体３２側の図示しない係止突起をカバー体３１側の係止孔３６に係止させる。これにより、ヒーター本体２４をヒーターカバー３０によって覆うことができる。
【００１６】
次に、浴槽用水中ヒーターシステムの使用方法について説明する。
まず、図４に示すように、浴槽４０の内側及び外側をビニールシート４１によって覆い、そのビニールシート４１の外周縁部を防水テープ４２によって止めて密閉した後、その浴槽４０内に水を張り、さらにその中に適量の還元塩を投入する。ここで、還元塩は、たとえば水２００リットルに対し、３０ｇ程度でよい。還元塩は、水の状態で投入してもよいし、お湯の状態で投入してもよい。いずれにしても、還元塩を投入したならば、よくかき混ぜるようにしておく。
【００１７】
次いで、ヒーターカバー３０を装着した水中ヒーター２０のヒーター本体２４を水中に浸ける。この場合、コード２３をフック４３等に掛けるようにしておけば、コード２３が邪魔になることもない。このような準備ができたならば、上述した漏電ブレーカー１０を商用コンセントに接続する。このとき、商用コンセント側にアース金具が設けられている場合には、そのアース金具にコード２３の先端に設けられているアース線２２ａを接続しておくことが好ましい。
【００１８】
そして、商用電源からの電力が水中ヒーター２０に与えられることで、ヒーター本体２４により浴槽４０内の水が暖められる。浴槽４０内の水が適温まで暖められたら、入浴可能である。この場合、水中ヒーター２０のヒーター本体２４はヒーターカバー３０によって覆われているため、水中ヒーター２０を水中に浸けた状態で入浴しても安全である。また、ヒーター本体２４がビニールシート４１に直接触れないので、ビニールシート４１がヒーター本体２４の熱によって溶けてしまうようなこともない。なお、浴槽４０内の水が熱すぎると感じた場合には、漏電ブレーカー１０を商用コンセントから外せばよい。また、仮に漏電が発生した場合には、漏電ブレーカー１０によって直ちに水中ヒーター２０への電力供給が遮断されるので、極めて安全である。また、漏電ブレーカー１０による電力供給遮断が行われないとき、上述したゴムキャップ２１内部のたとえば７０℃〜８０℃で動作するバイメタルサーモ（図示省略）又はたとえば９８℃で動作する温度ヒューズ（図示省略）によって電力供給が遮断されるので、極めて安全である。
【００１９】
このように、本実施形態では、外周縁部が防水テープ４２によって密閉されるビニールシート４１によって浴槽４０の内側及び外側を覆い、その浴槽４０内に還元塩を混ぜた水を張り、ヒーターカバー３０によって覆われたヒーター本体２４を水中に浸け、商用コンセントに接続される漏電ブレーカー１０からの電力を水中ヒーター２０に供給することで、浴槽４０内の還元塩を混ぜた水を浴槽４０内でのみ暖めることができることから、還元塩をユニットバスのような浴槽４０で用いても、浴槽本体に加え、金属製の各配管部材や給湯器の内部等が還元塩の塩分によって腐食されてしまうことを防止できる。
【００２０】
なお、本実施形態では、第１のプラグとして雌型プラグ１１を示し、第２のプラグとして雄型プラグ２２を示しているが、第１のプラグを雄型プラグとし、第２のプラグを雌型プラグとしてもよい。
【００２１】
図５は、図１の浴槽用水中ヒーターシステムの構成を変えた場合の他の実施形態を示す図である。なお、以下に説明する図において、図１と共通する部分には同一符号を付し重複する説明を省略する。
【００２２】
図５に示す浴槽用水中ヒーターシステムは、漏電ブレーカー１０のコード１２の先端の雌型プラグ１１と、水中ヒーター２０のコード２３の先端の雄型プラグ２２との間に、切替えスイッチ付き延長コンセント５０が装着される構成となっている。
【００２３】
切替えスイッチ付き延長コンセント５０は、切替えスイッチ５１を有する雌型コンセント本体５２と、先端に第３のプラグとしての雄型プラグ５３が装着されたコード５４とを有している。切替えスイッチ５１は、水中ヒーター２０への電力の供給をオン／オフする際に切り替えられるものである。なお、第３のプラグを雌型プラグとしてもよい。この場合には、雌型プラグ１１を雄型プラグとすればよい。
【００２４】
使用に際しては、雄型プラグ５３を漏電ブレーカー１０のコード１２の先端の雌型プラグ１１に接続し、雌型コンセント本体５２を水中ヒーター２０のコード２３の先端の雄型プラグ２２に接続する。
【００２５】
また、図４で説明したように、水中ヒーター２０を浴槽４０内の水中に浸けるとき、予め漏電ブレーカー１０を商用コンセントに接続しておいてもよい。この場合、切替えスイッチ５１によって水中ヒーター２０への電力の供給をオフ状態にしておけばよい。このとき、商用コンセント側にアース金具が設けられている場合には、上記同様に、そのアース金具にコード２３の先端に設けられているアース線２２ａを接続しておくことが好ましい。
【００２６】
そして、水中ヒーター２０へ電力を供給する場合には、切替えスイッチ５１を切り替えて水中ヒーター２０への電力の供給をオン状態とする。これにより、商用電源からの電力が水中ヒーター２０に与えられることで、ヒーター本体２４により浴槽４０内の水が暖められる。浴槽４０内の水が適温まで暖められたら、入浴可能である。
【００２７】
この場合、水中ヒーター２０のヒーター本体２４はヒーターカバー３０によって覆われているため、上記同様に、水中ヒーター２０を水中に浸けた状態で入浴しても安全であるばかりか、ビニールシート４１がヒーター本体２４の熱によって溶けてしまうようなこともない。浴槽４０内の水が熱すぎると感じた場合には、切替えスイッチ５１を切り替えて水中ヒーター２０への電力の供給をオフ状態とすればよく、浴槽４０内の水温が下がったら切替えスイッチ５１を切り替えて水中ヒーター２０への電力の供給をオン状態とすればよい。
【００２８】
このように、本実施形態では、切替えスイッチ付き延長コンセント５０の雌型コンセント本体５２の切替えスイッチ５１を切り替えることにより、水中ヒーター２０への電力の供給をオン／オフできるので、漏電ブレーカー１０を商用コンセントに接続したり、外したりする手間が省ける。
【００２９】
図６は、図５の浴槽用水中ヒーターシステムの構成を変えた場合の他の実施形態を示す図である。図６に示す浴槽用水中ヒーターシステムは、漏電ブレーカー１０のコード１２の先端の雌型プラグ１１と、水中ヒーター２０のコード２３の先端の雄型プラグ２２との間に、切替えスイッチ付き延長コンセント５０ａが装着される構成となっている。
【００３０】
切替えスイッチ付き延長コンセント５０ａは、切替えスイッチ５１及び複数の差込口５５を有する雌型コンセント本体５２と、先端に雄型プラグ５３が装着されたコード５４とを有している。切替えスイッチ５１は、水中ヒーター２０への電力の供給をオン／オフする際に切り替えられるものである。
【００３１】
使用に際しては、上記同様に、雄型プラグ５３を漏電ブレーカー１０のコード１２の先端の雌型プラグ１１に接続し、雌型コンセント本体５２を水中ヒーター２０のコード２３の先端の雄型プラグ２２に接続する。また、雌型コンセント本体５２には、複数の差込口５５が設けられているため、差込口５５の数だけ水中ヒーター２０を接続することができる。
【００３２】
また、上記同様に、ヒーター本体２４を浴槽４０内の水中に浸けるとき、予め漏電ブレーカー１０を商用コンセントに接続しておいてもよい。この場合、切替えスイッチ５１によって水中ヒーター２０への電力の供給をオフ状態にしておけばよい。そして、水中ヒーター２０へ電力を供給する場合には、上記同様に、切替えスイッチ５１を切り替えて水中ヒーター２０への電力の供給をオン状態とする。
【００３３】
これにより、商用電源からの電力が水中ヒーター２０に与えられることで、水中ヒーター２０により浴槽４０内の水が暖められる。この場合、複数の水中ヒーター２０を雌型コンセント本体５２に接続しておくことで、浴槽４０内の水を素早く暖めることができる。
浴槽４０内の水が適温まで暖められたら、入浴可能である。
【００３４】
この場合、上記同様に、水中ヒーター２０のヒーター本体２４はヒーターカバー３０によって覆われているため、複数の水中ヒーター２０を水中に浸けた状態で入浴しても安全であるばかりか、ビニールシート４１がヒーター本体２４の熱によって溶けてしまうようなこともない。また、浴槽４０内の水が熱すぎる場合には、切替えスイッチ５１を切り替えて複数の水中ヒーター２０への電力の供給をオフ状態とすればよく、浴槽４０内の水温が下がったら切替えスイッチ５１を切り替えて複数の水中ヒーター２０への電力の供給をオン状態とすればよい。
【００３５】
このように、本実施形態では、切替えスイッチ付き延長コンセント５０ａの雌型コンセント本体５２に複数の差込口５５を設け、複数の水中ヒーター２０を接続できるようにしているので、浴槽４０内の水を素早く暖めることができる。
【００３６】
図７は、図１の浴槽用水中ヒーターシステムの構成を変えた場合の他の実施形態を示す図である。図７に示す浴槽用水中ヒーターシステムは、漏電ブレーカー１０のコード１２の先端の雌型プラグ１１と、水中ヒーター２０のコード２３の先端の雄型プラグ２２との間に、サーモ・コントローラ６０が装着される構成となっている。
【００３７】
サーモ・コントローラ６０は、図８に示すように、温度設定ダイヤル６１、オン／オフスイッチ６２ａ、ランプ６２ｂ，６２ｃを有するコントローラ本体６３を備えている。温度設定ダイヤル６１は、浴槽４０内の水の温度を設定するものであり、たとえば０〜１８０℃まで設定可能である。オン／オフスイッチ６２ａは、コントローラ本体６３内部の電源回路のオン／オフと、漏電ブレーカー１０から水中ヒーター２０への電力供給のオン／オフの切り替えを行う場合に操作されるものである。第１のランプとしてのランプ６２ｂは、漏電ブレーカー１０が商用コンセントに接続されていて、オン／オフスイッチ６２ａがオン側に切り替えられたときに点灯する。第２のランプとしてのランプ６２ｃは、後述の温度センサ６８からの検出温度が温度設定ダイヤル６１によって設定された温度に到達すると、点灯する。なお、後述の温度センサ６８による検出温度が設定された温度に到達すると、コントローラ本体６３が水中ヒーター２０への電力供給を遮断する。また、後述の温度センサ６８による検出温度が設定された温度を下回ると、コントローラ本体６３が水中ヒーター２０への電力供給を続行させる。
【００３８】
コントローラ本体６３には、先端にアース線６４ａ付きの第４のプラグとしての雄型プラグ６４が装着されたコード６５と、先端に第５のプラグとしての雌型プラグ６６が装着されたコード６７と、先端に温度センサ６８が装着されたコード６９とが接続されている。なお、雄型プラグ６４を雌型プラグとしてもよいし、雌型プラグ６６を雄型プラグとしてもよい。この場合、雌型プラグ１１を雄型プラグとし、雄型プラグ２２を雌型プラグとすればよい。
【００３９】
使用に際しては、雄型プラグ６４を漏電ブレーカー１０のコード１２の先端の雌型プラグ１１に接続し、雌型プラグ６６を水中ヒーター２０のコード２３の先端の雄型プラグ２２に接続する。また、コントローラ本体６３の温度設定ダイヤル６１を回して所定の温度に設定しておく。また、商用コンセント側にアース金具が設けられている場合には、上記同様に、そのアース金具にアース線２２ａ又は６４ａを接続しておくことが好ましい。
【００４０】
この状態で、ヒーター本体２４及び温度センサ６８を浴槽４０内の水中に浸ける。このとき、温度センサ６８はなるべく水中ヒーター２０から離しておくようにすればよい。これは、水中ヒーター２０による浴槽４０内の水の暖め開始時では、水中ヒーター２０近傍のみの水が暖められるためであり、温度センサ６８を水中ヒーター２０の近くに配置すると、浴槽４０内全体の水が所定の温度に到達する前に所定の温度に到達したと検出されてしまうためである。
【００４１】
また、上記同様に、ヒーター本体２４を浴槽４０内の水中に浸けるとき、予め漏電ブレーカー１０を商用コンセントに接続しておいてもよい。この場合、サーモ・コントローラ６０側のオン／オフスイッチ６２ａをオフ状態にしておけばよい。そして、水中ヒーター２０へ電力を供給する場合には、オン／オフスイッチ６２ａをオンさせて水中ヒーター２０へ電力を供給する。このとき、ランプ６２ｂが点灯する。水中ヒーター２０への電力の供給が開始されると、水中ヒーター２０により浴槽４０内の水が暖められる。
【００４２】
このとき、温度センサ６８からの検出温度が温度設定ダイヤル６１によって設定された温度に到達すると、コントローラ本体６３が水中ヒーター２０への電力供給を遮断する。これにより、浴槽４０内の水が必要以上に暖められることがなくなる。また、温度センサ６８からの検出温度が温度設定ダイヤル６１によって設定された温度を下回ると、コントローラ本体６３が水中ヒーター２０への電力供給を続行させる。これにより、浴槽４０内の水が設定された温度に保持される。
【００４３】
温度センサ６８からの検出温度が温度設定ダイヤル６１によって設定された温度に到達してランプ６２ｃが点灯したら、入浴可能である。この場合、上記同様に、水中ヒーター２０のヒーター本体２４はヒーターカバー３０によって覆われているため、水中ヒーター２０を水中に浸けた状態で入浴しても安全である。また、入浴中にあっては、温度センサ６８からの検出温度に応じてコントローラ本体６３が水中ヒーター２０への電力供給を制御し、浴槽４０内の水が設定された温度に保持されるため、常に一定の温度で入浴することができる。
【００４４】
このように、本実施形態では、温度センサ６８からの検出温度が温度設定ダイヤル６１によって設定された温度に到達すると、コントローラ本体６３が水中ヒーター２０への電力供給を遮断するため、浴槽４０内の水が必要以上に暖められることがなくなる。また、温度センサ６８からの検出温度が温度設定ダイヤル６１によって設定された温度を下回ると、コントローラ本体６３が水中ヒーター２０への電力供給を続行させるため、浴槽４０内の水が設定された温度に保持される。
【００４５】
なお、本実施形態では、サーモ・コントローラ６０側の雌型プラグ６６と、水中ヒーター２０側の雄型プラグ２２との間、又はサーモ・コントローラ６０側の雄型プラグ６４と漏電ブレーカー１０側の雌型プラグ１１との間に、図５及び図６に示した切替えスイッチ付き延長コンセント５０，５０ａを接続してもよいことは勿論である。
【産業上の利用可能性】
【００４６】
上述した浴槽４０に限らず、大きな寸胴鍋でスープ等を作る場合や大きな鑑賞用水槽内の水温を上げる場合等にも適用できる。
【図面の簡単な説明】
【００４７】
【図１】本考案の浴槽用水中ヒーターシステムの一実施の形態を示す図である。
【図２】図１の漏電ブレーカーを示す図である。
【図３】図１の水中ヒーターにゴム製のヒーターカバーを装着する場合を説明するための図である。
【図４】図１の浴槽用水中ヒーターシステムの使用方法を説明するための図である。
【図５】図１の浴槽用水中ヒーターシステムの構成を変えた場合の他の実施形態を説明するための図である。
【図６】図５の浴槽用水中ヒーターシステムの構成を変えた場合の他の実施形態を説明するための図である。
【図７】図１の浴槽用水中ヒーターシステムの構成を変えた場合の他の実施形態を説明するための図である。
【図８】図７のサーモ・コントローラを説明するための図である。
【符号の説明】
【００４８】
１０  漏電ブレーカー
１１  雌型プラグ
１２  コード
１３  テストボタン
１４  セットボタン
２０  水中ヒーター
２１  ゴムキャップ
２２  雄型プラグ
２２ａ  アース線
２３  コード
２４  ヒーター本体
３０  ヒーターカバー
４０  浴槽
４１  ビニールシート
４２  防水テープ
５０  延長コンセント
５０ａ  延長コンセント
５１  切替えスイッチ
５２  雌型コンセント本体
５３  雄型プラグ
５４  コード
５５  差込口
６０  サーモ・コントローラ
６１  温度設定ダイヤル
６２ａ  オン／オフスイッチ
６２ｂ  ランプ
６２ｃ  ランプ
６３  コントローラ本体
６４  雄型プラグ
６４ａ  アース線
６５  コード
６６  雌型プラグ
６７  コード
６８  温度センサ
６９  コード
【図１】
0003101004.tif 000003
【図２】
0003101004.tif 000004
【図３】
0003101004.tif 000005
【図４】
0003101004.tif 000006
【図５】
0003101004.tif 000007
【図６】
0003101004.tif 000008
【図７】
0003101004.tif 000009
【図８】
0003101004.tif 000010